(57)【要約】【課題】装置を大型化することなくかつ省エネルギーで洗濯と脱水の両工程に効率よく好適に対応することができる業務用洗濯脱水機を提供する。【解決手段】洗濯脱水機における洗濯ドラムを洗濯時に回転駆動する低速用モータと、洗濯ドラムを脱水時に回転駆動する高速用モータと、低速用モータと高速用モータとの間に接離自在に介在するクラッチと、高速用モータと低速用モータとクラッチを駆動制御する制御部を備える業務用洗濯脱水機において、低速用モータにはこれを駆動する電源周波数を変化させる低速用インバータを備え、高速用モータにはこれを駆動する電源周波数を変化させる高速用インバータを備え、制御部は洗濯時に低速用モータで洗濯ドラムを低速で回転駆動し、洗濯が終了して脱水への切り替えに際し低速用モータの駆動を止めクラッチを切って高速用モータを用いて洗濯ドラムを回転駆動する。【選択図】図１
2015202302.tif 000002
【特許請求の範囲】
【請求項１】
洗濯脱水機における洗濯ドラムを洗濯時に回転駆動する低速用モータと、上記洗濯ドラムを脱水時に回転駆動する高速用モータと、上記低速用モータと上記高速用モータとの間に接離自在に介在するクラッチと、上記高速用モータと低速用モータとクラッチを駆動制御する制御部を備える業務用洗濯脱水機において、
上記低速用モータには該低速用モータを駆動する電源周波数を変化させる低速用インバータを備え、上記高速用モータには該高速用モータを駆動する電源周波数を変化させる高速用インバータを備え、
上記制御部は洗濯時に上記低速用モータが洗濯ドラムを低速で回転駆動し、洗濯が終了して脱水への切り替えに際し上記低速用モータの駆動を止め上記クラッチを切って上記高速用インバータを用いて高速用モータが上記洗濯ドラムを回転駆動することを特徴とする業務用洗濯脱水機。
【請求項２】
制御部は、洗濯が終了して脱水への切り替えに際し低速用インバータにより低速用モータが洗濯時よりも高い回転数で洗濯ドラムを駆動してからクラッチを切って高速用モータが洗濯ドラムを回転駆動することを特徴とする請求項１に記載の業務用洗濯脱水機。
【請求項３】
洗濯脱水機における洗濯ドラムを洗濯時に回転駆動する低速用モータと、上記洗濯ドラムを脱水時に回転駆動する高速用モータと、上記低速用モータと上記高速用モータとの間に接離自在に介在するクラッチと、上記高速用モータと低速用モータとクラッチを駆動制御する制御部を備える業務用洗濯脱水機において、
上記制御部には、上記低速用モータと高速用モータを選択的に駆動する電源周波数を変化させる低速・高速兼用インバータを備え、
上記制御部は洗濯時に上記低速・高速兼用インバータを用いて低速用モータが洗濯ドラムを低速で回転駆動し、洗濯が終了して脱水への切り替えに際し上記低速用モータの駆動を止め上記クラッチを切って上記低速・高速兼用インバータを用いて高速用モータが上記洗濯ドラムを回転駆動することを特徴とする業務用洗濯脱水機。
【請求項４】
制御部は、洗濯が終了して脱水への切り替えに際し低速・高速兼用インバータにより低速用モータが洗濯時よりも高い回転数で洗濯ドラムを駆動してからクラッチを切って上記低速・高速兼用インバータにより高速用モータが洗濯ドラムを回転駆動することを特徴とする請求項３に記載の業務用洗濯脱水機。
【発明の詳細な説明】
【技術分野】
【０００１】
本発明は、被洗物を一つの大きな洗濯ドラムで洗濯して脱水する業務用洗濯脱水機において、装置を大型化することなくかつ省エネルギーで洗濯と脱水の両工程に効率よく好適に対応することができる業務用洗濯脱水機に関するものである。
【背景技術】
【０００２】
従来、洗濯と脱水を同一のドラムで行う業務用洗濯脱水機において、洗濯時には洗濯液を貯えて低速回転するため大きなトルクを必要とするのに対して、脱水時にはトルクは低くても高速回転が必要となっている。このため、洗濯ドラムを回転駆動させるモータとしては、１機で洗濯と脱水の両方をまかなうとすると、高トルク出力と、高速回転の両方の性能を満足するために大型化させることが必要であった（特許文献１参照）。
しかしながら、モータを大型化すると、装置全体の大型化、製造コストの増大、そして電源容量の増大等を招くことから、これらの課題を解決するためには、図４に示すように、大型のモータを用いることなく、低速用モータ２１と高速用モータ２２の２つの小型モータとプーリとクラッチ２３を用いて高トルク出力と、高速回転の両方の駆動方法を適宜に切り替える洗濯脱水機が案出された。
この洗濯脱水機は、洗濯時に低速用モータ２１でプーリ減速機構により低速・高トルクで洗濯ドラム２４を駆動し、脱水時にクラッチ２３を切り低速用モータ２１を切り離し、高速用モータ２２のみで洗濯ドラム２４を高速回転させる構造である。
【先行技術文献】
【特許文献】
【０００３】
【特許文献１】特開２００４−２４５８０号公報
【発明の概要】
【発明が解決しようとする課題】
【０００４】
しかしながら、この図４に示す従来の洗濯脱水機は、低速用モータ２１はインバータを用いて電源周波数を変化させて駆動していたが、高速用モータ２２はインバータを用いずに商用電力（５０／６０Ｈｚ）のままで駆動しているので、低速用モータ２１から高速用モータ２２に切り替える際に、始動トルクも大きく始動電流がかなり大きくなっていた。そのため、大型のモータと太い電線径と容量の大きいフューズが必要になるという課題があった。また、商用電力をそのまま用いることから、電源周波数を任意に設定変更することはできなかった。
さらに、洗濯から脱水へと切り替える際に、洗濯ドラムは完全に停止せずに慣性で回転していることから、単純なインバータ回路を用いたとしても回転中の洗濯ドラムを好適に制御することができないという問題があった。
【０００５】
本発明は、このような実情に鑑みてなされたものであり、装置を大型化することなくかつ省エネルギーで洗濯と脱水の両工程に効率よく好適に対応することができる業務用洗濯脱水機を提供しようとするものである。
【課題を解決するための手段】
【０００６】
上記課題に鑑みて鋭意研究の結果、本発明者は、洗濯用の低速用モータと脱水用の高速用モータにそれぞれインバータを備えるとともに、高速用モータ用のインバータにモータの回転数検知手段を備えて制御することを可能とすることにより大型なモータを用いることなく、洗濯と脱水の両工程に適応することができる業務用洗濯脱水機を案出するに至った。
【０００７】
すなわち、本発明の業務用洗濯脱水機は、洗濯脱水機における洗濯ドラムを洗濯時に回転駆動する低速用モータと、上記洗濯ドラムを脱水時に回転駆動する高速用モータと、上記低速用モータと上記高速用モータとの間に接離自在に介在するクラッチと、上記高速用モータと低速用モータとクラッチを駆動制御する制御部を備える業務用洗濯脱水機において、上記低速用モータには該低速用モータを駆動する電源周波数を変化させる低速用インバータを備え、上記高速用モータには該高速用モータを駆動する電源周波数を変化させる高速用インバータを備え、上記制御部は洗濯時に上記低速用モータが洗濯ドラムを低速で回転駆動し、洗濯が終了して脱水への切り替えに際し上記低速用モータの駆動を止め上記クラッチを切って上記高速用インバータを用いて高速用モータが上記洗濯ドラムを回転駆動することを特徴とする。
本発明によれば、洗濯から脱水へと切り替える際に、低速用モータから高速用モータへの切り替えがスムーズに行うことが可能となり、高速用モータの始動トルクと始動電流が小さくなって、モータのサイズと設定最大電流を小さくすることができる。
【０００８】
また本発明の業務用洗濯脱水機は、制御部が、洗濯が終了して脱水への切り替えに際し低速用インバータにより低速用モータが洗濯時よりも高い回転数で洗濯ドラムを駆動してからクラッチを切って高速用モータが洗濯ドラムを回転駆動することを特徴とする。
これにより、洗濯ドラムの回転駆動が低速用モータから高速用モータにスムーズに切り替えすることができる。
【０００９】
また本発明の業務用洗濯脱水機は、洗濯脱水機における洗濯ドラムを洗濯時に回転駆動する低速用モータと、上記洗濯ドラムを脱水時に回転駆動する高速用モータと、上記低速用モータと上記高速用モータとの間に接離自在に介在するクラッチと、上記高速用モータと低速用モータとクラッチを駆動制御する制御部を備える業務用洗濯脱水機において、上記制御部には、上記低速用モータと高速用モータを選択的に駆動する電源周波数を変化させる低速・高速兼用インバータを備え、上記制御部は洗濯時に上記低速・高速兼用インバータを用いて低速用モータが洗濯ドラムを低速で回転駆動し、洗濯が終了して脱水への切り替えに際し上記低速用モータの駆動を止め上記クラッチを切って上記低速・高速兼用インバータを用いて高速用モータが上記洗濯ドラムを回転駆動することを特徴とする。
これにより、低速用と高速用とで２つ必要であったインバータを１つにまとめることができ、装置の小型化、簡略化に寄与する。
【図面の簡単な説明】
【００１０】
【図１】本発明の業務用洗濯脱水機の第１の実施例の動力連動を示す説明図である。
【図２】本発明の業務用洗濯脱水機の第２の実施例の動力連動を示す説明図である。
【図３】本発明の業務用洗濯脱水機における洗濯ドラムの回転変化を示す説明図である。
【図４】従来の業務用洗濯脱水機の動力連動を示す説明図である。
【発明を実施するための形態】
【００１１】
以下、添付図面を参照しながら、本発明に係る業務用洗濯脱水機を実施するための形態を詳細に説明する。図１〜図３は、本発明の実施の形態を例示する図であり、これらの図において、同一の符号を付した部分は同一物を表わし、基本的な構成及び機能は同様であるものとする。
【００１２】
＜構成＞
図１は、本発明の業務用洗濯脱水機の第１の実施例の動力連動を示している。
業務用洗濯脱水機において被洗物を投入して洗濯・脱水する洗濯ドラム１は、減速用にベルトで連結されるプーリ大２とプーリ小３を介して高速用モータ４に連結され、この高速用モータ４は、主に脱水時に用いられ、制御部５の高速用インバータ６によって洗濯ドラム１を高速で回転駆動する。この高速用インバータ６は、高速用モータ４の実際の回転数をモニターしながら適正な回転数に駆動制御することができる。
そして高速用モータ４は、接離自在な２つのクラッチ板から構成されるクラッチ７の一方側に固定的に繋がっている。
【００１３】
クラッチ７の他端側は、プーリ大８に繋がっており、このプーリ大８は、減速用にベルトによりプーリ小９に連結され、このプーリ小９はプーリ大１０と同軸で一体的に組み合わされ、さらにプーリ大１０はベルトによりプーリ小１１に連結され、そしてプーリ小１１は低速用モータ１２に連結されている。低速用モータ１２は、制御部５の低速用インバータ１３によって回転駆動される。
【００１４】
洗濯時に、制御部５の制御によりクラッチ７を「入」（駆動）にするとともに、低速用モータ１２により洗濯ドラム１を駆動し（高速用モータ４は停止）、洗濯が終了して脱水工程に切り替える際に、制御部５の制御によりクラッチ７を「切」（空転）にすることにより、洗濯ドラム１の駆動を高速用モータ４に切り替える構造である。
【００１５】
図２は、本発明の業務用洗濯脱水機の第２の実施例の動力連動を示している。前述した第１の実施例との相違点は、制御部に低速用インバータと高速用インバータを一体化させた低速・高速兼用インバータ１４を設けたことである。
そもそも低速用インバータ１３と高速用インバータ６とは、同時に動作することなく、別個に動作するものである。したがって、制御部５としてインバータを低速用・高速用の何れかに切り替えることにより、インバータ回路しては低速・高速兼用インバータ１４を随時切り替えて使用すればよいものである。その他の部材については、上述した第１の実施例と同様である。
【００１６】
＜動作＞
本発明の業務用洗濯脱水機の動作について、上記第１の実施例を例に以下に説明する。まず業務用洗濯脱水機の使用者は、洗濯工程から脱水工程への作業の流れを制御部５に入力し設定する。例えば、被洗物の種類、被洗物の重量、洗濯時間、そして脱水時間等である。
そして、制御部５の低速用インバータ１３が低速用モータ１２を回転駆動すると、プーリ小１１、プーリ大１０・プーリ小９、プーリ大８の順にベルト駆動で回転が減速され、その回転が繋がっているクラッチ７を介して非稼動の高速用モータ４、プーリ小３、プーリ大２の順にベルト駆動で回転が伝達され、最終的に洗濯ドラム１を高トルクで回転（回動、揺動）する。
【００１７】
次に、制御部５で設定した洗濯時間が終了すると、制御部５は低速用インバータ１３が低速用モータ１２の駆動電源の供給を止め、クラッチ７を「切」（空転）にして高速用インバータ６により高速用モータ４を回転駆動する。
この際、洗濯ドラム１は、それまで低速用モータ１２により駆動されていた回転を、クラッチ７が切れても慣性により惰性回転し続けている。そして、この状態で洗濯ドラム１を脱水用の高速回転で高速用モータ４を駆動させるに際して、高速用インバータ６は洗濯ドラム１の回転数（すなわち高速用モータ４の回転数）を検知した上で、洗濯ドラム１の回転にブレーキがかからないよう、かつ始動トルクが過大にならないような適正に制御して高速用モータ４を駆動するものである。
【００１８】
さらに具体的に説明すると、図３（ａ）に示すように、洗濯時に洗濯ドラム１は低速用モータ１２の正転・反転の交互に繰り返しにより揺動している。この低速回転の加速度としては、０．５〜０．８Ｇ程度である。
そして、洗濯工程が終了して脱水工程に移行する際に、図３（ｂ）に示すように、脱水時のドラムの回転方向において、低速用インバータ１３がその回転駆動性能を最大にして洗濯ドラム１を回転させた状態で、クラッチ７を「切」（空転）にするとともに低速用モータ１２を電源断にし、それから高速用インバータ６が高速用モータ４を回転駆動するものである。
この洗濯ドラム１を低速用モータ１２により比較的高速で回転させることにより、高速用モータ４での回転始動に繋げやすくするものであり、高速用インバータ６は高速用モータ４を駆動するための始動トルク及び駆動電流が少なくて済み、スムーズにモータ駆動の切り替えが行えるものである。
【００１９】
以上、本発明の業務用洗濯脱水機について、具体的な実施の形態を示して説明したが、本発明はこれらに限定されるものではない。当業者であれば、本発明の要旨を逸脱しない範囲内において、上記実施形態における業務用洗濯脱水機の構成及び機能に様々な変更・改良を加えることが可能である。
【産業上の利用可能性】
【００２０】
本発明の業務用洗濯脱水機は、業務用洗濯脱水機を製造する産業において利用することができるものである。
【符号の説明】
【００２１】
１：洗濯ドラム
２：プーリ大
３：プーリ小
４：高速用モータ
５：制御装置
６：高速用インバータ
７：クラッチ
８：プーリ大
９：プーリ小
１０：プーリ大
１１：プーリ小
１２：低速用モータ
１３：低速用インバータ
１４：低速・高速兼用インバータ
【図１】
2015202302.tif 000003
【図２】
2015202302.tif 000004
【図３】
2015202302.tif 000005
【図４】
2015202302.tif 000006